(57)【要約】【目的】レバー、特殊器具等を必要とせずに紙束等の被結束体を素手で容易に脱着でき、本考案を装着した被結束体と他の書類等を重ね合わせて整頓した際の混合を防止できるようにし、かつ本体の厚さを薄くして被結束体のクリップ装着部の嵩張りを軽減できるようにした簡易事務用クリップを提供する。【構成】弾性素材の小型平板を中央部より二つ折りにして、上部支持板の左右フレーム１及び中央フレーム２をアーチ型に成形して板バネ形状にすることにより上部支持板を開閉自在にするとともに、上部支持板の先端部３及び下部支持板の先端部４をそれぞれ相対する方向へ僅かに折り曲げることにより、被結束体に装着する時は上部支持板を開放状態にして嵌入し上部支持板を閉止状態に戻すことによって装着するとともに、装着時に上部支持板の先端部３および下部支持板の先端部４の折込みを被結束体に密着させるようにした。【選択図】図１
0003107851.tif 000002
【実用新案登録請求の範囲】
【請求項１】
弾性素材の小型平板を中央部より二つ折りにして、上部支持板を左右フレーム１及び中央フレーム２をアーチ型に成形して板バネ状にすることにより上部支持板を開閉自在にして取手や補助器具等を使用せずに紙束等の被結束体を素手で容易に脱着できるようにした事務用簡易クリップ。
【請求項２】
上部支持板の先端部３および下部支持板の先端部４をそれぞれ相対する方向へ僅かに折り曲げることによって、本考案を装着した被結束体と他の書類等を重ね合わせて整頓した際に両者の混合を防止できるようにした事務用簡易クリップ。
【請求項３】
本考案の構造が単純な弾性素材の小型平板を二つ折りした構造であることから、本考案の厚さ薄くして被結束体のクリップ装着部の嵩張りを軽減できるようにした事務用簡易クリップ。
【考案の詳細な説明】
【技術分野】
【０００１】本考案は事務用簡易クリップに係るものである。
【背景技術】
【０００２】従来、事務用の簡易クリップは、図８に示す細い金属線をコイル状に巻いたもの、若しくは製品名「ガチャ玉」と命名された図９に示す硬い金属の平板を板の中心から対称になるよう折り曲げて装着補助器具を用いて被結束体等に装着するもの、更には図１０に示す中心から折り曲げた金属板の開口部に板を開くためのツマミを取りつけたもの等が一般的であった。
【考案の開示】
【考案が解決しようとする課題】
【０００３】図８に示す従来の事務用簡易クリップは、被結束体に装着した際にクリップの構造全体が変形することによってクリップの先端部に隙間が生じ、クリップを装着した被結束体と他の紙等を重ね合わせて整頓すると、クリップの隙間に重ね合わせた別の紙等が入り込み、クリップを装着した被結束体と他の紙等が混合してしまう問題があった。【０００４】また、図９、図１０に示す従来の先端部に隙間が生じ難いクリップは、クリップ本体の紙面に直接接触する面と面の間の厚さが比較的大きいため、当該クリップを装着した被結束体を複数重ねた際、若しくは紙数の少ない被結束体に当該クリップを装着するとクリップ装着部が嵩張ってしまう問題があった。
【課題を解決するための手段】
【０００５】上記問題を解決するために、弾性素材（金属、プラスチック等）を用いた小型の平板を図１に示す形状に形成する。【０００６】構造は図２に示す形状に上部支持板の左右フレーム１、及び中央フレーム２を形成して図３に示すとおりアーチ型の板バネ状にし、被結束体を綴じるために直接接触する上部支持板の先端部３を二股にして、かつ被結束体に対し下部支持板の方向へ僅かに折る。【０００７】一方、図４に示す形状に下部支持板を形成し、下部支持板の先端部４は上部支持板先端部３の二股部にはめ込む様突出させ、かつ上部支持板の方向へ僅かに折る。
【作用】
【０００８】上部支持板の左右フレーム１、及び中央フレーム２による板バネの作用により、中央フレームの頂上部を押すことによって図３の閉止状態から図５の開放状態にでき、かつ開放状態を保持することができる。
【０００９】被結束体を綴じる時は、図６の１Ａ、２Ａ、３Ａに示すとおり上部支持板を開放状態に保持して、上部支持板と下部支持板の間に被結束体５を嵌入し、上部支持板と下部支持板を指でつまみ、図６の１Ｂ、２Ｂ、３Ｂに示すとおり上部支持板を閉じて被結束体５を綴じる。
【００１０】本考案を被結束体から外す時は、上部支持板の中央フレーム２頂上部と下部支持板を指で摘み、図６の１Ａ、２Ａ、３Ａに示すとおり上部支持板を開放状態にして外す。
【００１１】また、上部支持板が閉止状態で被結束体５からクリップを外す際も、上部支持板の先端部３及び下部支持板の先端部４が図６の３Ｂ及び４のとおり被結束体５を引き抜く方向に傾いているので、被結束体５を損傷することなく上部支持板を閉止状態のままクリップを引き抜くようにして被結束体から外すことができる。
【００１２】クリップの厚さについても図３に示すとおり１枚の平板を上部支持板と下部支持板を形成するために２つ折りの構造としているため、薄く成形することができる。
【実施例】
【００１３】次に実施例について図面を参照して説明する。【００１４】金属、若しくはプラスチックの弾性素材を図２に示すように、上部支持板には左右フレーム１及び中央フレーム２を成形し、更に左右フレーム１及び中央フレーム２を板バネにするために図７に示すとおり左右フレーム１を僅かに外側に傾けながら、中央フレームはそのまま図３に示すとおりアーチ型に成形する。【００１５】上部支持板の先端部３を図２に示すように二股に成形し、かつ図３に示すとおり下部支持板の方向へ僅かに折り曲げる。【００１６】下部支持板は図４に示す形状に成形し、かつ図３に示すとおり下部支持板の先端部４は上部支持板の方向へ僅かに折り曲げる。【００１７】上部支持板及び下部支持板を図３に示すとおり二つ折りにし、上部支持板の先端部３及び下部支持板の先端部４が噛み合うようにして本考案を形成する。
【考案の効果】
【００１８】上部支持板の左右フレーム１及び中央フレーム２をアーチ型に成形して板バネ形状にすることによって上部支持板を開閉自在にし、取手や補助器具等を使用せず素手で被結束体に本考案を着脱することができる。
【００１９】被結束体を綴じた時、上部支持板の板バネの作用により、上部支持板の先端部３、及び下部支持板の先端部４が被結束体に密着し、被結束体と上部支持板の先端部３、及び下部支持板の先端部４の間に隙間ができ難くなり、本考案を装着した被結束体と他の紙等との混合を防止できる。
【００２０】本考案は厚さを容易に薄く成形できるため、本考案を単独使用した場合、並びに本考案を装着した被結束体を複数重ねた場合も本考案装着部の嵩張りが改善できる。
【図面の簡単な説明】
【００２１】
【図１】閉止状態の本考案の斜視図である。
【図２】本考案の上部支持板の平面図である。
【図３】閉止状態の本考案の側面図である。
【図４】本考案の下部支持板の平面図である。
【図５】本考案の上部支持板が開放状態の側面図である。
【図６】本考案の作用様態を示す側面図である（破線は上部支持板の挙動を示す）。
【図７】本考案の前面図である。
【図８】従来の事務用簡易クリップの平面図である。
【図９】従来の事務用簡易クリップ（製品名「ガチャ玉」）の斜視図である。
【図１０】従来の事務用簡易クリップ（取手付きクリップ）の斜視図である。
【符号の説明】
【００２２】１  左右フレーム
２  中央フレーム
３  上部支持板の先端部
４  下部支持板の先端部
５  被結束体
１Ａ  本考案の作用態様の１
１Ｂ  本考案の作用態様の２
２Ａ  本考案の作用態様の１
２Ｂ  本考案の作用態様の２
３Ａ  本考案の作用態様の１
３Ｂ  本考案の作用態様の２
【図１】
0003107851.tif 000003
【図２】
0003107851.tif 000004
【図３】
0003107851.tif 000005
【図４】
0003107851.tif 000006
【図５】
0003107851.tif 000007
【図６】
0003107851.tif 000008
【図７】
0003107851.tif 000009
【図８】
0003107851.tif 000010
【図９】
0003107851.tif 000011
【図１０】
0003107851.tif 000012